(57)【要約】      （修正有）【課題】貝類養殖用丸カゴに高圧水を噴射し貝類を死なせずに海中生物やゴミ、汚れといった塵芥を洗い落とすことができる洗浄方法及び洗浄装置の提供。【解決手段】海中から引き上げた貝類入りの貝類養殖用丸カゴ２を舷側の受台上に横長に載置して横方向に伸ばして貝類養殖用丸カゴ２内の貝類を貝類養殖用丸カゴ内の下方側に寄せてから、この貝類を避けて貝類養殖用丸カゴ２の上方側にノズル１６から高圧水を噴射して、貝類養殖用丸カゴ２に付着している塵芥を洗い落とし、以後、貝類養殖用丸カゴ２をその周方向に適宜角度回転して、貝類を貝類養殖用丸カゴ２内の下方側に寄せてから、貝類養殖用丸カゴ２の上方部に高圧水を噴射して貝類養殖用丸カゴ２に付着している塵芥を洗い落とし、貝類養殖用丸カゴ２の回転と高圧水の噴射を必要回数繰り返して貝類養殖用丸カゴ２を洗浄する。【選択図】図３
2020014443.tif 000002
【特許請求の範囲】
【請求項１】
貝類養殖用丸カゴの洗浄方法において、
海中から引き上げた貝類入りの貝類養殖用丸カゴを船の上に横長に載置して横方向に伸ばして円筒状にして、貝類養殖用丸カゴ内の貝類を当該丸カゴ内の下方側に寄せてから、この貝類を避けて貝類養殖用丸カゴの上方側にノズルから高圧水を噴射して、貝類養殖用丸カゴに付着している海中生物やゴミ、汚れといった塵芥を洗い落とし、
貝類養殖用丸カゴを周方向に適宜角度回転して、貝類を貝類養殖用丸カゴ内の下方側に寄せてから、貝類養殖用丸カゴの上方側に前記ノズルから高圧水を噴射して貝類養殖用丸カゴに付着している塵芥を洗い落とし、
前記貝類養殖用丸カゴの回転と高圧水の噴射を必要回数繰り返して貝類養殖用丸カゴを洗浄する、
ことを特徴とする貝類養殖用丸カゴの洗浄方法。
【請求項２】
請求項１記載の貝類養殖用丸カゴの洗浄方法において、
貝類養殖用丸カゴが船の上の受台に載置され、
前記受台の上に海中から引き上げた貝類入りの貝類養殖用丸カゴを、受台の上で横長方向に伸ばして円筒状にして載置し、貝類を避けて、その貝類養殖用丸カゴの上方側に、船側から海側に向かってノズルから高圧水を噴射して貝類養殖用丸カゴに付着している塵芥を洗い落とす、
ことを特徴とする貝類養殖用丸カゴの洗浄方法。
【請求項３】
請求項２記載の貝類養殖用丸カゴの洗浄方法において、
貝類養殖用丸カゴに付着している塵芥を、一個又は二個以上の複数個のノズルからの高圧水で洗い落しながら海中に排出する、
ことを特徴とする貝類養殖用丸カゴの洗浄方法。
【請求項４】
請求項１から請求項３のいずれか１項に記載の貝類養殖用丸カゴの洗浄方法において、
ノズルを貝類養殖用丸カゴの長手方向に移動させながら、貝類養殖用丸カゴの長手方向全長を洗浄する、
ことを特徴とする貝類養殖用丸カゴの洗浄方法。
【請求項５】
請求項１から請求項４のいずれか１項に記載の貝類養殖用丸カゴの洗浄方法において、
ノズルを首振り又は回転させながら高圧水を噴射する、
ことを特徴とする貝類養殖用丸カゴの洗浄方法。
【請求項６】
請求項１から請求項５のいずれか１項に記載の貝類養殖用丸カゴの洗浄方法において、
船の上に横長に伸ばして横向きに設置された貝類養殖用丸カゴを、機械又は人手により、横長に伸ばした状態に維持及び回転させる、
ことを特徴とする貝類養殖用丸カゴの洗浄方法。
【請求項７】
海中から引き上げた貝類養殖用丸カゴを洗浄するための貝類養殖用丸カゴ洗浄装置において、
海中から引き上げて、横長に伸ばして船の上に横長に設置された貝類養殖用丸カゴの上方側に高圧水を噴射するノズルと、船上に、貝類養殖用丸カゴの横長方向に横長に設置されたレールを備え、
前記ノズルが前記レールに沿って往復移動可能に装備された、
ことを特徴とする貝類養殖用丸カゴの洗浄装置。
【請求項８】
請求項７記載の貝類養殖用丸カゴの洗浄装置において、
船の舷側に受台が設置され、受台は舷側の長手方向に細長であり、貝類養殖用丸カゴを横長に伸ばして横向きに設置できる横幅である、
ことを特徴とする貝類養殖用丸カゴの洗浄装置。
【請求項９】
請求項７又は請求項８記載の貝類養殖用丸カゴの洗浄装置において、
ノズルの移動速度が、丸カゴに付着している塵芥に応じて調整可能である、
ことを特徴とする貝類養殖用丸カゴの洗浄装置。
【発明の詳細な説明】
【技術分野】
【０００１】
本発明は、貝類養殖用丸カゴ（以下単に「丸カゴ」という。）の洗浄方法及び丸カゴの洗浄装置に関する。
【背景技術】
【０００２】
帆立貝、牡蠣等の貝類の養殖方法の一つに、丸カゴ（例えば特許文献１の図１に示すもの）内に小さい貝類を入れ、海中に吊り下げて養殖する方法がある。
【０００３】
養殖中、丸カゴには海中生物、その他のゴミ、汚れ（以下単に「塵芥」という。）が大量に付着する。塵芥の付着は貝類の生育に好ましくない。このため、養殖の途中で丸カゴを海中から引き上げて丸カゴを洗浄して塵芥を落とし、その後に再度海中に入れて養殖しているのが一般的である。また、出荷できるまで成長した貝類は、丸カゴを海中から引き上げて丸カゴから取り出す。この場合も、塵芥が大量に付着していることが多いため、取り出す前に丸カゴを洗浄して塵芥を除去しているのが通常である。
【０００４】
従来行った事がある、丸カゴの洗浄は図４に示すような洗浄装置Ａで行っている。図４の洗浄装置Ａは、ローラーテーブルＢ又は無端ベルトがケースＦ内を循環回転するようにしてあり、上側ノズルＣと、下側ノズルＤを備えている。海中から引き上げた貝類入りの丸カゴＥをローラーテーブルＢの上に載せ、横方向に伸ばして斜めに倒して折り重ね、その丸カゴＥに上側ノズルＣと下側ノズルＤら高圧水を噴射して塵芥を洗い落としている。
【先行技術文献】
【特許文献】
【０００５】
【特許文献１】特開２０１７−０３５０７７号公報
【発明の概要】
【発明が解決しようとする課題】
【０００６】
従来の洗浄方法では、丸カゴだけでなく、内部の貝類にも高圧水が噴射されるため、貝類が死んでしまうことがあり、養殖の歩留まりが低下する。
【０００７】
本発明の解決課題は、丸カゴに高圧水を噴射しても貝類に噴射されず、貝類を死なせることなく塵芥を洗い落とすことができる丸カゴの洗浄方法及び丸カゴの洗浄装置を提供することを目的とする。
【課題を解決するための手段】
【０００８】
本発明の丸カゴの洗浄方法は、海中から引き上げた貝類入りの丸カゴを船の上に横長に載置し、横長方向に筒状に伸ばして貝類を丸カゴ内の下方側に寄せてから、この貝類を避けて、丸カゴの上方側に高圧水を噴射して、丸カゴに付着している塵芥を洗い落とし、以後、丸カゴをその周方向に適宜角度回転して、貝類を丸カゴ内の下方側に寄せてから、丸カゴの上方側に高圧水を噴射して丸カゴに付着している塵芥を洗い落とし、前記丸カゴの回転と高圧水の噴射を必要回数繰り返して丸カゴを洗浄する方法である。
【０００９】
前記丸カゴの洗浄方法では、丸カゴを船の甲板の上か、船の舷側に設置された受台の上に載せて横長方向に筒状に伸ばし、それらの上で回転させることができる。船の舷側に設置された受台の上に載せて塵芥を落とす場合は、洗浄しながら塵芥を海中へ洗い落とすことができる。ノズルを丸カゴの長手方向に移動させながら、丸カゴの長手方向全長を洗浄することができる。ノズルは一個又は二個以上の複数個とすることができる。ノズルは移動しながら又は任意の箇所で停止又は一時停止して、３６０度任意方向に首振り又は回転させながら高圧水を噴射することもできる。丸カゴの回転は、機械又は人手により行うことができる。
【００１０】
本発明の丸カゴの洗浄装置は、海中から引き上げて船の上に横長方向に伸ばして筒状に設置された丸カゴに高圧水を噴射するノズルと、丸カゴの横長方向に設置されたレールを備え、前記ノズルが前記レールに沿って往復移動可能に装備されたものである。海中から引き上げた丸カゴを載せることのできる受台を船の舷側に設けることもできる。
【発明の効果】
【００１１】
本発明の丸カゴの洗浄方法によれば、次の効果を奏する。
（１）海中から引き上げた貝類入りの丸カゴを、横長方向に円筒状に伸ばして、貝類を丸カゴ内の下方側に寄せてから、貝類を避けて、丸カゴの上方側に高圧水を噴射するので、貝類が死なない。
（２）丸カゴをその周方向に回転し、丸カゴの上方側に高圧水を噴射することを必要回数繰り返すので、丸カゴの全周の塵芥を洗浄することができる。
（３）海中から引き上げた貝類入りの丸カゴを、船の舷側に設置された受台の上に載せて洗浄すれば、塵芥を海中に洗い落とすことができるので、船上が汚れにくくなり、洗浄後の清掃が容易になる。
（４）ノズルを丸カゴの長手方向に移動させるので、丸カゴの長手方向全体を洗浄できる。
（５）ノズルを首振り又は回転させながら高圧水を噴射すれば、丸カゴ全体を効率よく洗浄できる。
【００１２】
本発明の丸カゴの洗浄装置によれば、ノズルが丸カゴの長手方向に往復移動するので、前記洗浄を自動的に効率よく行うことができる。
【図面の簡単な説明】
【００１３】
【図１】本発明における丸カゴであり、（ａ）は縦断正面図、（ｂ）は底網と支持枠を示す斜視図、（ｃ）は（ａ）におけるＸ−Ｘ断面図。
【図２】本発明の丸カゴの洗浄装置を示す船の前方から見た図。
【図３】本発明の丸カゴの洗浄装置を船側から海側に向けて見た図。
【図４】従来の洗浄方法を示す図。
【発明を実施するための形態】
【００１４】
（実施形態）
本発明の丸カゴ洗浄方法及び丸カゴ洗浄装置の実施形態を図面に基づいて説明する。この実施形態の説明は、丸カゴの構成について説明したうえで、丸カゴの洗浄装置、丸カゴ洗浄方法の順に説明する。
【００１５】
［貝類養殖用丸カゴ］
図１（ａ）〜（ｃ）を参照して丸カゴ２の一般的な構成を説明する。丸カゴ２は、汎用の丸カゴであり、網筒体３と、底網４を張ってなる複数の支持枠５と、複数本の吊下ロープ６とからなる。網筒体３は、耐海水性・耐候性の細長丸形の網材と、網材の一対の長辺を紐７で閉じ合わせて細長円筒状として、長手方向に複数の区画空間（貝類養殖空間）としてある。支持枠５は円環枠材５ａと、円環枠材５ａの内側にプラス状に設けた補強材５ｂとからなる。底網４は、耐海水性・耐候性の円形な網材であり、支持枠５の一方の面に重ねられ、周縁部が円環枠材５ａに紐で連繋されている。さらに網筒体３の外面周方向四箇所に縦方向に四本の吊下ロープ６を当てて網筒体３と共に支持枠５と固定し、四本の吊下ロープ６の上端同士を一まとめに結んだ上側緊結部６ａ及び下端同士を一まとめに結んだ下側緊結部６ｂを吊下げ部としてある。
【００１６】
［丸カゴ洗浄装置］
図２及び図３に示すように、洗浄装置１は船Ｓの舷側Ｇ上に設置された受台１１と、舷側Ｇ及び受台１１よりも船内側で受台１１よりも高い位置で受台１１に沿って設けられたレール１５と、レール１５に沿って往復移動可能に装備されたノズル１６とを備えている。
【００１７】
受台１１は、耐海水性・耐候性・耐久性を有するステンレススチールかエンジニアリングプラスチック材料、例えば、グラスファイバー製であり、最長の丸カゴ２を支持できるよう長さにしてある。受台１１は船Ｓの舷側Ｇに固定される取付け部１２と、丸カゴを載せる受部１３とを有する。取付け部１２はボルト留め、その他の固定手段で船に取り付けることができる。受部１３は丸カゴ２を載せることができれば形状は制限されないが、例えば、細長平板、上向きに湾曲する細長板等であり、船Ｓに取り付けると、幅方向外側が海の上に突出するようにすると、洗浄された塵芥が海中に落ちやすくなり好ましい。舷側Ｇに固定した受台１１は、水平状態から舷側Ｇの側面下方に折り畳み可能として、不使用時に邪魔にならないようにすることもできる。
【００１８】
レール１５は受台１１に対応する長さを有し、受台１１に沿って横架されている。レール１５は、受台１１上に丸カゴ２を横長にして載置したときに、受台１１の側方に離して配置する。レール１５は図示しない支持脚により支持される。
【００１９】
ノズル１６はレール１５に案内されるスライダ１７に着脱自在にかつ若干の自由度を有して取り付けられている。ここで、若干の自由度とは、ノズル１６の高圧水導入口側のハンドル部を握りノズル１６の放射方向を変移するようにノズル１６を触れ動かすことができる遊びがあるようにスライダ１７に支持されていることをいう。ノズル１６は一個でも二個以上の複数個であってもよい。複数の場合はそれらノズル１６が一連に接続されて、一つのノズル１６を操作すれば、全部のノズル１６が一体に操作されるようにすることができる。ノズル１６は首振り可能又は回転可能とすることができる。
【００２０】
複数のノズル１６は一体に移動するように設けて、それら複数のノズル１６が同時に同方向にレール１５に沿って移動するようにするようにする。移動手段としては、船に乗っている漁師の人手により行えば足りるが、機械装置を備えてもよい。ノズル１６は丸カゴに付着している塵芥が多いときは移動速度が遅くなり、塵芥が少ないきは移動速度が速くなるように速度調整可能とすることもできる。移動速度を遅くすることにより塵芥が取れやすくなる。移動速度の調整は自動でも手動でも行うことができる。自動で行う場合は、レーザ式、超音波式といった各種センサを設け、それらセンサからレーザ光、超音波といった測定信号を丸カゴに投射し、丸カゴからの反射信号に基づいて塵芥が自動的に検知され、その検知結果に基づいて移動速度が自動調整されるようにすることができる。この場合は、センサはノズル１６よりも移動方向先方に設けて、ノズル１６による洗浄に先立って塵芥を検知できるようにするのが良い。
【００２１】
［丸カゴ洗浄方法］
本実施形態の丸カゴの洗浄方法は、海中から貝類入りの丸カゴ２を船Ｓの上、又は受け台１１の上に引き上げ、丸カゴ２を横長方向に伸ばして筒状にして、丸カゴ２内の貝類を丸カゴ２内の下方側に寄せてから、この貝類を避けて丸カゴ２の上方側にノズル１６から高圧水を噴射する。丸カゴ２はその周方向に適宜角度回転して、貝類を丸カゴ２内の下方側に寄せてから、丸カゴ２の上方側に高圧水を噴射することを必要回数繰り返すように実施する。ノズルからの噴射は船側から海側に向けて行うと、受台１１の上に載せた丸カゴ２から洗い落とされる塵芥が海中に落下する。
【００２２】
ノズル１６を丸カゴ２の長手方向に移動させながら洗浄して、丸カゴ２の長手方向の端から端まで洗浄する。ノズルは一個又は二個以上の複数個とすることができる。ノズル１６は移動しながら、又は移動中に一時停止して、又は移動することなく所定箇所に停止した状態で、左右上下又は３６０度任意の方向に首振り又は回転させながら高圧水を噴射することができる。丸カゴ２は機械又は人手により、横長方向に伸ばした状態に回転させることができる。ノズル１６からの高圧水の噴射は常に丸カゴ２内の貝類を避けて、貝類に当たらないように噴射する。
【符号の説明】
【００２３】
１      洗浄装置
２      丸カゴ
３      網筒体
４      底網
５      支持枠
５ａ    円環枠材
５ｂ    補強材
６      吊下ロープ
６ａ    上側緊結部
６ｂ    下側緊結部
１１    受台
１２    取付け部
１３    受部
１５    レール
１６    ノズル
１７    スライダ
Ａ      洗浄装置
Ｂ      ローラーテーブル
Ｃ      上側ノズル
Ｄ      下側ノズル
Ｅ      丸カゴ
Ｆ      ケース
Ｇ      舷側
Ｓ      船
【図１】
2020014443.tif 000003
【図２】
2020014443.tif 000004
【図３】
2020014443.tif 000005
【図４】
2020014443.tif 000006